(57)【特許請求の範囲】
【請求項１】
プレート状取付け用部を有する製品を、該プレート状取付け用部を基材の表面に当接し複数のネジで該基材に締着することにより該基材上に固定するようにした該プレート状取付け用部を覆うようにして該ネジの頭部を外部に露出しないようにするためのネジ頭部カバー具であって、
該複数のネジのうちから選定されたネジと対応する位置関係で設けられ、該選定されたネジの軸部を受け入れるネジ軸受入開口を有する固定板部であって、該プレート状取付け用部の表面に当接し、該選定されたネジの軸部を該ネジ軸受入開口内に通した状態で締着し該プレート状取付け用部上に固定されるようにした固定板部と、該固定板部が該プレート状取付け用部の表面上に固定された状態で該プレート状取付け用部の表面に対して直角方向に延びる、相互に平行にされ間隔の開けられた一対のカバー取付け板部とを有するベース部材と、
該プレート状取付け用部の表面を覆うようにして該ベース部材に取り付けられるカバー部材であって、該カバー部材が該ベース部材に取り付けられた状態で、該一対のカバー取付け板部の相互に向かい合う２つの内側面又はその反対側の２つの外側面に接するようにされる連結用面を有する一対の連結用板部と、該連結用板部の該プレート状取付け用部の表面から離れた側の端部から該プレート状取付け用部の表面を覆うように広がって延びるカバー板部と、該カバー板部の周縁から該プレート状取付け用部の表面近くまで延びる周縁板部と、を有するカバー部材と
を有し、
該カバー部材の該連結用板部の該連結用面と該連結用面に接する状態とされる該２つの内側面又は該２つの外側面とには、該カバー部材が該ベース部材に取り付けられた状態で相互に嵌合して該カバー部材が該ベース部材から引き離されるのを阻止する嵌合係止部が設けられており、
該ネジ軸受入開口が、該固定板部を該プレート状取付け用部の表面に重ねた状態で該プレート状取付け用部の表面に平行に延びて一端が開放端、他端が閉止端とされた溝状とされ、該開放端を通して該選定されたネジの軸部を該ネジ軸受入開口内に受け入れ可能とされているネジ頭部カバー具。
【請求項２】
プレート状取付け用部を有する製品を、該プレート状取付け用部を基材の表面に当接し複数のネジで該基材に締着することにより該基材上に固定するようにした該プレート状取付け用部を覆うようにして該ネジの頭部を外部に露出しないようにするためのネジ頭部カバー具であって、
該複数のネジのうちから選定されたネジと対応する位置関係で設けられ、該選定されたネジの軸部を受け入れるネジ軸受入開口を有する固定板部であって、該プレート状取付け用部の表面に当接し、該選定されたネジの軸部を該ネジ軸受入開口内に通した状態で締着し該プレート状取付け用部上に固定されるようにした固定板部と、該固定板部が該プレート状取付け用部の表面上に固定された状態で該プレート状取付け用部の表面に対して直角方向に延びる、相互に平行にされ間隔の開けられた一対のカバー取付け板部とを有するベース部材と、
該プレート状取付け用部の表面を覆うようにして該ベース部材に取り付けられるカバー部材であって、該カバー部材が該ベース部材に取り付けられた状態で、該一対のカバー取付け板部の相互に向かい合う２つの内側面又はその反対側の２つの外側面に接するようにされる連結用面を有する一対の連結用板部と、該連結用板部の該プレート状取付け用部の表面から離れた側の端部から該プレート状取付け用部の表面を覆うように広がって延びるカバー板部と、該カバー板部の周縁から該プレート状取付け用部の表面近くまで延びる周縁板部と、を有するカバー部材と
を有し、
該カバー部材の該連結用板部の該連結用面と該連結用面に接する状態とされる該２つの内側面又は該２つの外側面とには、該カバー部材が該ベース部材に取り付けられた状態で相互に嵌合して該カバー部材が該ベース部材から引き離されるのを阻止する嵌合係止部が設けられており、
該固定板部は、それぞれ選定されたネジの軸部を受け入れる該ネジ軸受入開口を有する相互に間隔を開けて設けられた２つのネジ固定部を有し、該２つのネジ固定部の間には該選定されたネジ以外の少なくとも１つのネジを受け入れるようにされているネジ頭部カバー具。
【請求項３】
該２つのネジ固定部は、相互に離れた側の外側縁が相互に平行とされ、該外側縁から該カバー取付け板部が延びるようにされている請求項２に記載のネジ頭部カバー具。
【請求項４】
プレート状取付け用部を有する製品を、該プレート状取付け用部を基材の表面に当接し複数のネジで該基材に締着することにより該基材上に固定するようにした該プレート状取付け用部を覆うようにして該ネジの頭部を外部に露出しないようにするためのネジ頭部カバー具であって、
該複数のネジのうちから選定されたネジと対応する位置関係で設けられ、該選定されたネジの軸部を受け入れるネジ軸受入開口を有する固定板部であって、該プレート状取付け用部の表面に当接し、該選定されたネジの軸部を該ネジ軸受入開口内に通した状態で締着し該プレート状取付け用部上に固定されるようにした固定板部と、該固定板部が該プレート状取付け用部の表面上に固定された状態で該プレート状取付け用部の表面に対して直角方向に延びる、相互に平行にされ間隔の開けられた一対のカバー取付け板部とを有するベース部材と、
該プレート状取付け用部の表面を覆うようにして該ベース部材に取り付けられるカバー部材であって、該カバー部材が該ベース部材に取り付けられた状態で、該一対のカバー取付け板部の相互に向かい合う２つの内側面又はその反対側の２つの外側面に接するようにされる連結用面を有する一対の連結用板部と、該連結用板部の該プレート状取付け用部の表面から離れた側の端部から該プレート状取付け用部の表面を覆うように広がって延びるカバー板部と、該カバー板部の周縁から該プレート状取付け用部の表面近くまで延びる周縁板部と、を有するカバー部材と
を有し、
該カバー部材の該連結用板部の該連結用面と該連結用面に接する状態とされる該２つの内側面又は該２つの外側面とには、該カバー部材が該ベース部材に取り付けられた状態で相互に嵌合して該カバー部材が該ベース部材から引き離されるのを阻止する嵌合係止部が設けられており、
該固定板部が該プレート状取付け用部の表面に重なるように設定される一枚の板状とされ、該ベース部材が該プレート状取付け用部の表面上に固定されたときに該選定されたネジ以外のネジ又はそのネジ頭部のための座金に係合する周縁を有し、
該カバー部材の該カバー板部は、該選定されたネジ以外のネジの頭部を覆って延びるようにされているネジ頭部カバー具。
【請求項５】
該嵌合係止部は、該カバー部材の該連結用板部の該連結用面と該連結用面に接する状態とされる該２つの内側面又は該２つの外側面との一方に設けられた凸部と、他方に設けられて該凸部と嵌合する凹部とからなる、請求項１乃至４の何れか一項に記載のネジ頭部カバー具。
【請求項６】
該凸部は、該プレート状取付け用部の表面に対して平行に延びる細長い矩形状とされ、該凹部は該凸部に対して補完的な矩形状とされている請求項５に記載のネジ頭部カバー具。
【請求項７】
該凹部は該凹部が設けられる該連結用板部又は該カバー取付け板部を貫通するように形成された開口により画定されている請求項６に記載のネジ頭部カバー具。
【請求項８】
該凸部が該カバー部材の該連結用板部を切り込み折り曲げて形成され、該カバー取付け用板部に設けられた該凹部に嵌合するようにされている請求項７に記載のネジ頭部カバー具。
【発明の詳細な説明】
【技術分野】
【０００１】
本発明は、本発明はドアヒンジをドアやドア枠に取り付けたり、窓シャッターを窓枠に取り付けたりした場合の取付けネジの頭部を覆うためのカバーに関する。
【背景技術】
【０００２】
ドアのヒンジの典型的な形式は枢軸に沿って上下に重ねられた筒状部と、各筒状部から半径方向に延びる取付けプレートとを有し、取付けプレートはネジによってドアやドア枠に固定されるようになっている。このようなネジは美観や防犯の点からカバーを取り付けてネジ頭部が外部に露出しないようにすることが求められる場合がある。また、窓シャッターなどを窓枠に取り付ける場合も、その取付けネジの頭部を防犯、防火等のためにカバーで覆うようにすることがある。（特許文献１乃至３）
【先行技術文献】
【特許文献】
【０００３】
【特許文献１】特開２０１４−１８５４７３
【特許文献２】特許第５７０３１８２
【特許文献３】特許４５６４１５０号
【発明の概要】
【発明が解決しようとする課題】
【０００４】
しかし、従来のこの種のカバーは、例えば特許文献１や２に示されるようにカバーを所要位置に固定するためのネジを必要とする。また、この場合、カバーを取り付けたネジのカバーが外部に露出しないようにする工夫が必要となる。特許文献３に開示されたものにおいては、カバー取付け用ベース部材をネジで固定し、カバーを該ベース部材に嵌め合い式に取り付けるようになっている。
【０００５】
これらドアヒンジや窓シャッターなどの製品を所要位置に取り付けたネジの頭部を覆うための作業は繁雑なものである。本発明は、このような点に鑑み、簡単に取り付けてネジ頭部を覆うことができるネジ頭部カバー具を提供することを目的としている。
【課題を解決するための手段】
【０００６】
すなわち本発明は、
プレート状取付け用部を有する製品を、該プレート状取付け用部を基材の表面に当接し複数のネジで該基材に締着することにより該基材上に固定するようにした該プレート状取付け用部を覆うようにして該ネジの頭部を外部に露出しないようにするためのネジ頭部カバー具であって、
該複数のネジのうちから選定されたネジと対応する位置関係で設けられ、該選定されたネジの軸部を受け入れるネジ軸受入開口を有する固定板部であって、該プレート状取付け用部の表面に当接し、該選定されたネジの軸部を該軸部受入開口内に通した状態で締着し該プレート状取付け用部上に固定されるようにした固定板部と、該固定板部が該プレート状取付け用部の表面上に固定された状態で該プレート状取付け用部の表面に対して直角方向に延びる、相互に平行にされ間隔の開けられた一対のカバー取付け板部とを有するベース部材と、
該プレート状取付け用部の表面を覆うようにして該ベース部材に取り付けられるカバー部材であって、該カバー部材が該ベース部材に取り付けられた状態で、該一対のカバー取付け板部の相互に向かい合う２つの内側面又はその反対側の２つの外側面に接するようにされる連結用面を有する一対の連結用板部と、該連結用板部の該プレート状取付け用部の表面からから離れた側の端部から該プレート状取付け用部の表面を覆うように広がって延びるカバー板部と、該カバー板部の周縁から該プレート状取付け用部の表面近くまで延びる周縁板部とを有するカバー部材と
を有し、
該カバー部材の該連結用板部の該連結用面と該連結用面に接する状態とされる該２つの内側面又は該２つの外側面とには、該カバー部材が該ベース部材に取り付けられた状態で相互に嵌合して該カバー部材が該ベース部材から引き離されるのを阻止する嵌合係止部が設けられているネジ頭部カバー具を提供する。
【０００７】
本発明に係るネジ頭部カバー具では、上述のように、ドアヒンジなどの製品のプレート状取付け用部をドアやドア枠などの基材に固定するためのネジを用いて当該プレート状取付け用部に取り付けるものであり、ネジ頭部カバー具取付け用のネジを別に用意し、それをプレート状取付け用部の取付けとは別に締着するといった作業を必要としない。また、本発明に係るネジ頭部カバー具では、プレート状取付け用部のネジから選定したネジを用いて、プレート状取付け用部に固定するようにしているので、当該プレート状取付け用部の取り付け作業に併せて当該ネジ頭部カバー具を取り付けるようにすることも、また、既に取り付けられているプレート状取付け用部の選定されたネジを緩めて、そのネジで当該ネジ頭部カバー具を取り付けるようにすることができる。
【０００８】
具体的には、
該ネジ軸受入開口が、該固定板部を該プレート状取付け用部の表面に重ねた状態で該プレート状取付け用部の表面に平行に延びて一端が開放端、他端が閉止端とされた溝状とされ、該開放端を通して該選定されたネジの軸部を該ネジ軸受入開口内に受け入れ可能とすることができる。
ネジ軸部受入開口をこのような形状とすることにより、上述した選定されたネジをネジ穴に部分的に螺合した状態で、その軸部を当該ネジ軸部受入開口内に受け入れることができる。
【０００９】
該ネジ軸受入開口は、該プレート状取付け用部の表面に対して垂直方向で延びて該固定板部を貫通する穴とすることもできる。
【００１０】
該固定板部は、それぞれ選定されたネジの軸部を受け入れる該ネジ軸受入開口を有する相互に間隔を開けて設けられた２つのネジ固定部を有し、該２つのネジ固定部の間には該選定されたネジ以外の少なくとも１つのネジを受け入れるようにすることができる。
【００１１】
この場合、該２つのネジ固定部は、相互に離れた側の外側縁が相互に平行とされ、該外側縁から該カバー取付け板部が延びるようにすることができる。
【００１２】
該固定板部が該プレート状取付け用部の表面に重なるように設定される一枚の板状とされ、該ベース部材が該プレート状取付け用部の表面上に固定されたときに該選定されたネジ以外のネジ又はそのネジ頭部のための座金に係合する周縁を有し、
該カバー部材の該カバー板部は、選定されたネジ以外のネジの頭部を覆って延びるようにすることができる。
【００１３】
該嵌合係止部は、該カバー部材の該連結用板部の該連結用面と該連結用面に接する状態とされる該２つの内側面又は該２つの外側面との一方に設けられた凸部と、他方に設けられて該凸部と嵌合する凹部とからなるようにすることができる。
【００１４】
該凸部は、該プレート状取付け用部の表面に対して平行に延びる細長い矩形状とされ、該凹部は該凸部に対して補完的な矩形状とすることができる。
【００１５】
該凹部は該凹部が設けられる該連結用板部又は該カバー取付け板部を貫通するように形成された開口により画定することができる。
【００１６】
また、該凸部が該カバー部材の該連結用板部を切り込み折り曲げて形成され、該カバー取付け用板部に設けられた該凹部に嵌合するようにすることができる。
【００１７】
以下、本発明に係るネジ頭部カバー具の実施形態を添付図面に基づき説明する。
【図面の簡単な説明】
【００１８】
【図１】ドアヒンジが、その軸線方向で上下に重ねられた筒状部にそれぞれ固定されたプレート状取付け用部に複数のネジを締着することによりドアに取り付けられている状態で、本発明に係るネジ頭部カバー具をプレート状取付け用部に取り付ける前の状態を示している。
【図２】本発明の第１の実施形態に係るネジ頭部カバー具のベース部材の平面図であり、図１に示したプレート状取付け用部を取り付けているネジのうちの２つのネジを受け入れる２つのネジ軸受入部を備えるベース部材を示している。
【図３】図２のベース部材の正面図である。
【図４】図２のベース部材の側面図である
【図５】図２のベース部材に取り付けられるカバー部材の底面図である。
【図６】図５のIV-IV線断面図である。
【図７】図５のカバー部材の側面図である。
【図８】上記カバー部材を上記ベース部材に取り付けた状態を示す図である。
【図９】本発明の第２の実施形態に係るネジ頭部カバー具のベース部材の平面図であり、図１に示したプレート状取付け用部を取り付けているネジのうちの２つのネジを受け入れる２つのネジ軸受入部を備えるベース部材を示している。
【図１０】図９のベース部材の正面図である。
【図１１】図９のベース部材の側面図である
【図１２】図９のベース部材に取り付けられるカバー部材の底面図である。
【図１３】図１２のカバー部材の背面図である。
【図１４】図１２のカバー部材の側面図である。
【図１５】本発明の第３の実施形態に係るネジ頭部カバー具のベース部材の平面図であり、図２１に示したプレート状取付け用部を取り付けているネジのうちの中段にある１つのネジを受け入れるネジ軸受入部を備えるベース部材を示している。
【図１６】図１５のベース部材の正面図である。
【図１７】図１５のベース部材の側面図である
【図１８】図１５のベース部材に取り付けられるカバー部材の底面図である。
【図１９】図１８のカバー部材の背面図である。
【図２０】図１８のカバー部材の側面図である。
【図２１】第３の実施形態に係るネジ頭部カバー具が取り付けられる前のドアヒンジを示している。
【図２２】ベース部材の他の実施形態の平面図である。
【発明を実施するための形態】
【００１９】
図１は、２枚のドアＤを枢着しているドアヒンジＨの取付け状態を示す。該ドアヒンジＨはドアＤの間で垂直に延びる軸線Ｘに沿って上下に重ねられた筒状部Ｔを有し、各筒状部ＴにはドアＤの表面に接するように設定されるプレート状取付け用部Ｐが設けられており、該プレート状取付け用部Ｐは複数のネジ（図示の例では５個のネジ）ＳによってドアＤに締着されている。
【００２０】
図示の状態ではネジＳの頭部ｈが外部から見えるように露出されている。本発明は美観や防犯等の観点からこのようなプレート状取付け用部Ｐをカバーしてネジ頭部ｈが見えないようにするものであり、図２乃至図８にはそのための本発明の第１の実施形態に係るネジ頭部カバー具１０が示されている。このネジ頭部カバー具１０は、以下に詳述するように、図２及び図３に示すベース部材１２とベース部材１２に取り付けられるカバー部材１４とを有する。
【００２１】
ベース部材１２は、図１における右下にあるプレート状取付け用部Ｐを例に説明すれば、該プレート状取付け用部Ｐの上列にある３個のネジＳのうち左右にあるネジＳ１，Ｓ２(複数のネジＳから選定されたネジＳ１，Ｓ２)を使って該プレート状取付け用部Ｐに固定されるようになっている。図示の例では、ベース部材１２は一枚のスチール製板を加工して形成され、プレート状取付け用部Ｐの表面に重ねられてネジＳ１，Ｓ２により固定される一対のネジ固定部２０を備える固定板部２２と、ネジ固定部２０を連結する連結部２６と、ネジ固定部２０の相互に離れた側の外側縁３２からはネジ固定部２０に対して垂直に延びるカバー取付け板部３４とを有する。ネジ固定部２０は一端が解放端とされ他端が閉止端とされた溝状とされたネジ軸受入開口２４を備えている。ネジ固定部２０は図で見て左右に延びた連結部２６によって連結され、相互に向かい合い平行に延びる内側縁２８間には上記選定されたネジＳ１，Ｓ２以外の３個のネジを受け入れる空間３０が画定されている。
【００２２】
カバー部材１４は、カバー部材１４がベース部材１２に取り付けられた状態で、ベース部材１２のカバー取付け板部３４の外側面に接するようにされる連結用面４３を有する一対の連結用板部４４と、連結用板部４４のプレート状取付け用部Ｐの表面からから離れた側の端部からプレート状取付け用部Ｐの表面を覆うように広がって延びるカバー板部４６と、カバー板部の周縁からプレート状取付け用部Ｐの表面近くまで延びる周縁板部４８とを有する。図示の例では、カバー板部４６は矩形状とされており、連結用板部４４は周縁板部４８をも兼ねており、周縁板部４８はカバー板部４６の全周に亘って同じ高さとされている。
【００２３】
カバー部材１４の連結用板部４４の連結用面４３とベース部材１２のカバー取付け板部３４の外側面３６とには、カバー部材１４がベース部材１２に取り付けられた状態で相互に嵌合してカバー部材１４がベース部材１２から引き離されるのを阻止する凹部及び凸部からなる嵌合係止部が設けられている。図示の例では、カバー部材１４の連結用板部４４の幅方向中央部に間隔を開けて平行に設けられた切り込みの間の部分を“く”状に折り曲げて形成され、その中央の折り曲げ部分が内側を向くようにされた凸部５０と、ベース部材１２のカバー取付け用板部３４にその外側面３６から内側面３７に貫通するように設けられた開口として形成された凹部５２とから構成され、凸部５０が凹部５２内に嵌合するようにされている。図示の例では開口としての凹部５２はネジ固定部２０にも部分的に延びている。
【００２４】
図９乃至図１４は本発明の第２の実施形態に係るネジ頭部カバー具を示しており、上述の第１の実施形態に係るネジ頭部カバー具１０のエレメントと対応するエレメントには同じ参照番号にアルファベットａを付して示してある。この実施形態に係るネジ頭部カバー具は第１の実施形態と同様にベース部材１２ａとカバー部材１４ａとから構成されている。ベース部材１２ａは、ネジ固定部２０ａに設けられるネジ軸受入開口２４ａが当該ネジ固定部２０ａを貫通した穴として形成され、ベース部材１２ａのカバー取付け板部３４ａの幅方向中央に穴として形成された凹部５２ａと、カバー部材１４ａの連結用板部４４ａの幅方向中央を内側に凹ませて形成され凹部５２ａに嵌合されるようにした略半球状の凸部５０ａとから構成されている点で第１の実施形態と異なる。また、図１２で見てカバー部材１４ａの下縁には周縁板部が設けられていない。これは例えば、プレート状取付け用部Ｐがその上縁または下縁だけから延びる側壁が設けられ当該プレート状取付け用部Ｐの断面がＬ字状になっているような場合に、カバー部材１４aのこの周縁板部を、プレート状取付用部材Ｐの側壁のない位置となるようにして取り付けるものである。
【００２５】
図１５乃至図２０は、図２１に示すようなドアヒンジＨのプレート状取付け用部Ｐのための本発明の第３の実施形態に係るネジ頭部カバー具を示している。ドアヒンジＨは上下に配置された筒状部Ｔからなり、該筒状部Ｔに固定されているプレート状取付け用部Ｐは、図で見て上段列の２つのネジＳ、中段の１つのネジＳ、下段列の２つのネジＳによりそれぞれ対応するドアＤに固定されるようになっている。
【００２６】
図１５乃至図２０においては、上述の第１の実施形態に係るネジ頭部カバー具１０のエレメントと対応するエレメントには同じ参照番号にアルファベットｂを付して示してある。この実施形態に係るネジ頭部カバー具は第１の実施形態のものと同様にベース部材１２ｂとカバー部材１４ｂとから構成されている。ベース部材１２ｂは、矩形の固定板部２２ｂと、固定板部２２ｂの左右の端部から立ち上がったカバー取付け板部３４ｂとからなり、固定板部２２ｂの中央に設けられたネジ軸受入開口２４ｂにプレート状取付け部Ｐの中段のネジＳの軸部を受け入れて締着された状態では固定板部２２ｂの上縁及び下縁がそれぞれプレート状取付け用部Ｐを固定している上段列のネジＳの頭部及び下段列のネジＳの頭部又はその座金の側面に係合して、当該ベース部材１２ｂが中段のネジＳを中心に回転しないようになっている。カバー取付け板部３４ｂには幅方向で相互に間隔をあけて設けられた一対の穴として形成された凹部５２ｂが形成されている。カバー部材１４ｂは、当該カバー部材１４ｂをベース部材１２ｂに取り付けた状態で、プレート状取付け用部Ｐの上段列、中段及び下段列のすべてのネジＳの頭部を覆う大きさのカバー板部４６ｂと、該カバー板部の左右端縁からカバー板部に対して垂直に延びる連結用板部４４ｂとを有しており、該連結用板部４４ｂには凹部５２に対応する位置に当該連結用板部４４ｂを内側に凹ませて形成し凹部５２に嵌合されるようにした一対の凸部５０ｂが設けられている。このカバー部材１４ｂの図１８で見て上縁には周縁板部が設けられていない。これは図１２のカバー部材について説明したのと同じ趣旨である。
【００２７】
以上、本発明に係るネジ頭部カバー具の実施形態を説明したが、本発明はこれら実施形態に限定されるものではない。例えば、ネジ軸受け入れ開口２４は第１の実施形態では略等しい長さの平行に延びるアーム状部分によって画定されているが、図２２に示すように長さの異なるアーム状部分によって画定することができる。また、第３の実施形態においては２つの凸部５０ｂと２つの凹部５２ｂとを嵌合させることによりカバー部材をベース部材に安定的に結合するようにしているが、カバー取り付け板部３４ｂや連結用板部４４ｂの幅方向に延びる細長い１つの凸部に１つの凹部を嵌合させることにより同様の安定的連結が可能となる。
【符号の説明】
【００２８】
ドアＤ
ドアヒンジＨ
軸線Ｘ
筒状部Ｔ
プレート状取付け用部Ｐ
ネジＳ，Ｓ１，Ｓ２
頭部ｈ
ネジ頭部カバー具１０
ベース部材１２,１２ａ,１２ｂ,１２ｃ
カバー部材１４,１４ａ,１４b ,
ネジ固定部２０,２０ａ
固定板部２２,２２a,２２b
ネジ軸受入開口２４,２４ａ,２４ｂ,２４ｃ
連結部２６,２６ａ,２６ｃ
内側縁２８,２８ａ
空間３０,３０ａ
外側縁３２,３２ａ
カバー取付け板部３４,３４ａ,３４ｂ,３４ｃ
外側面３６
内側面３７
連結用面４３,４３ａ,４３ｂ
連結用板部４４,４４ａ,４４ｂ
カバー板部４６,４６ａ,４６ｂ
周縁板部４８,４８ａ,４８ｂ
凸部５０,５０ａ,５０ｂ
凹部５２,５２ａ,５２ｂ
【図１】
0006754220.tif 000002
【図２】
0006754220.tif 000003
【図３】
0006754220.tif 000004
【図４】
0006754220.tif 000005
【図５】
0006754220.tif 000006
【図６】
0006754220.tif 000007
【図７】
0006754220.tif 000008
【図８】
0006754220.tif 000009
【図９】
0006754220.tif 000010
【図１０】
0006754220.tif 000011
【図１１】
0006754220.tif 000012
【図１２】
0006754220.tif 000013
【図１３】
0006754220.tif 000014
【図１４】
0006754220.tif 000015
【図１５】
0006754220.tif 000016
【図１６】
0006754220.tif 000017
【図１７】
0006754220.tif 000018
【図１８】
0006754220.tif 000019
【図１９】
0006754220.tif 000020
【図２０】
0006754220.tif 000021
【図２１】
0006754220.tif 000022
【図２２】
0006754220.tif 000023